(57)【要約】【課題】誤操作による記録データの消去を効果的に防止することができ、かつ既に記録されているデータの途中から新たなデータを記録させるための操作性を向上させることができる光ディスク装置を提供する。【解決手段】装置外部から映像又は／及び音声データをシーケンシャルに入力する受信部３と、該入力データを装置本体にセットされている光ディスク１０にファイル単位で記録する記録／読取部５と、該光ディスク１０に記録されている記録データをファイル単位で再生するデータ処理部６と、ユーザの操作を受け付ける操作部９と、を備えた光ディスク装置１において、操作部９で受け付けた選択操作によって光ディスク１０に記録されているファイルのうち１が選択状態で、操作部９のＲＥＣキー９１ａ、９３１ａが長押しされたときに、選択されたファイルに上書きして記録させるように記録／読取部５の入力データの記録を制御する制御部２と、を備える。【選択図】図３
2007213669.tif 000002
【特許請求の範囲】
【請求項１】
装置外部から映像又は／及び音声データをシーケンシャルに入力する入力部と、該入力されたデータを装置本体にセットされている光ディスクにファイル単位で記録する記録部と、該光ディスクに記録されている記録データをファイル単位で再生する再生部と、ユーザの操作を受け付ける操作部と、を備えた光ディスク装置において、
該操作部で受け付けた選択操作によって前記光ディスクに記録されているファイルのうち１が選択されている状態で、該操作部の録画ボタンが長押しされたときに、選択されたファイルに上書きして記録させるように前記記録部の入力データの記録を制御する制御部と、
表示部に接続され、前記光ディスクに記録されているファイル内容を表示するためのファイル内容表示画面の画像信号を前記表示部に出力する出力部とを備え、
前記制御部は、
前記再生部の再生ポーズを指示する操作を前記選択操作として前記操作部で受け付けた場合に、前記記録ボタンが長押しされると、ファイルにおける前記再生ポーズされている位置から上書きさせるように入力データの記録を制御し、
該データ内容表示画面で表示されたファイル内容のうち１を選択する操作を前記選択操作として前記操作部で受け付けた場合に、前記記録ボタンが長押しされると、前記選択されたファイルの先頭位置から上書きさせるように入力データの記録を制御する、
ことを特徴とする光ディスク装置。
【請求項２】
装置外部から映像又は／及び音声データをシーケンシャルに入力する入力部と、該入力されたデータを装置本体にセットされている光ディスクにファイル単位で記録する記録部と、該光ディスクに記録されている記録データをファイル単位で再生する再生部と、ユーザの操作を受け付ける操作部と、を備えた光ディスク装置において、
該操作部で受け付けた選択操作によって前記光ディスクに記録されているファイルのうち１が選択されている状態で、該操作部の録画ボタンが長押しされたときに、選択されたファイルに上書きして記録させるように前記記録部の入力データの記録を制御する制御部と、
を備えたことを特徴とする光ディスク装置。
【請求項３】
前記制御部は、前記再生部の再生ポーズを指示する操作を前記選択操作として前記操作部で受け付けた場合に、前記記録ボタンが長押しされると、ファイルにおける前記再生ポーズされている位置から上書きさせるように入力データの記録を制御する、
ことを特徴とする請求項２に記載の光ディスク装置。
【請求項４】
表示部に接続され、前記光ディスクに記録されているファイル内容を表示するためのファイル内容表示画面の画像信号を前記表示部に出力する出力部を更に備え、
前記制御部は、該ファイル内容表示画面で表示された記録データ内容のうち１を選択する操作を前記選択操作として前記操作部で受け付けた場合に、前記記録ボタンが長押しされると、前記選択されたファイルの先頭位置から上書きさせるように入力データの記録を制御する、
ことを特徴とする請求項２又は３に記載の光ディスク装置。
【発明の詳細な説明】
【技術分野】
【０００１】
この発明は、光ディスクに記録されている映像又は／及び音声データをファイル単位で再生するとともに、装置外部からシーケンシャルに入力された映像又は／及び音声データをファイル単位で光ディスクに記録する機能を備えた光ディスク装置であって、特に入力データを光ディスクに記録するための制御を特徴とする。
【背景技術】
【０００２】
光ディスク装置では、既に映像又は／及び音声データがファイル単位で記録されている光ディスクに新たにシーケンシャルに受信した映像又は／及び音声データを記録する場合には、既に記録されているデータの末尾から記録することが一般的である。図１を参照して、この一般的なデータの記録方法について説明する。光ディスク１０には、タイトル１のデータとタイトル２のファイルが記録されている。この場合には、矢印ａで示す位置が既に記録されているデータの末尾となるため、光ディスク装置は、この位置から新たなデータを記録させる。
【０００３】
先行例としては、特許文献１、特許文献２等がある。
【特許文献１】特開２００１−２５７９５１号公報
【特許文献２】特開２００５−１５０８００号公報
【発明の開示】
【発明が解決しようとする課題】
【０００４】
ユーザが既に記録されているデータの途中から新たに受信したデータを記録したい場合がある。この場合に、上記一般的な記録方法では該記録データの途中から以後のデータを消去する操作を行わなくてはならず、操作性が悪かった。
【０００５】
しかしながら、記録データの途中から新たに受信したデータを記録させるための操作が簡易すぎると、ユーザが上書きを希望しない記録データが誤操作で消去され易くなる。
【０００６】
そこで、本発明は、上記課題を解決するために、誤操作による記録データの消去を効果的に防止することができ、かつ既に記録されているデータの途中から新たなデータを記録させるための操作性を向上させることができる光ディスク装置を提供することを目的としている。
【課題を解決するための手段】
【０００７】
上記課題を解決するために本発明では以下の手段を採用している。
【０００８】
（１）本発明は、装置外部から映像又は／及び音声データをシーケンシャルに入力する入力部と、該入力されたデータを装置本体にセットされている光ディスクにファイル単位で記録する記録部と、該光ディスクに記録されている記録データをファイル単位で再生する再生部と、ユーザの操作を受け付ける操作部と、を備えた光ディスク装置において、該操作部で受け付けた選択操作によって前記光ディスクに記録されているファイルのうち１が選択されている状態で、該操作部の録画ボタンが長押しされたときに、選択されたファイルに上書きして記録させるように前記記録部の入力データの記録を制御する制御部と、表示部に接続され、前記光ディスクに記録されているファイル内容を表示するためのファイル内容表示画面の画像信号を前記表示部に出力する出力部とを備え、前記制御部は、前記再生部の再生ポーズを指示する操作を前記選択操作として前記操作部で受け付けた場合に、前記記録ボタンが長押しされると、ファイルにおける前記再生ポーズされている位置から上書きさせるように入力データの記録を制御し、該データ内容表示画面で表示されたファイル内容のうち１を選択する操作を前記選択操作として前記操作部で受け付けた場合に、前記記録ボタンが長押しされると、前記選択されたファイルの先頭位置から上書きさせるように入力データの記録を制御する、ことを特徴とする光ディスク装置。である。
【０００９】
（２）本発明は、装置外部から映像又は／及び音声データをシーケンシャルに入力する入力部と、該入力されたデータを装置本体にセットされている光ディスクにファイル単位で記録する記録部と、該光ディスクに記録されている記録データをファイル単位で再生する再生部と、ユーザの操作を受け付ける操作部と、を備えた光ディスク装置において、該操作部で受け付けた選択操作によって前記光ディスクに記録されているファイルのうち１が選択されている状態で、該操作部の録画ボタンが長押しされたときに、選択されたファイルに上書きして記録させるように前記記録部の入力データの記録を制御する制御部と、を備えたことを特徴とする。
【００１０】
上記構成によれば、記録ボタンを長押しするだけの操作で、選択されているファイルに上書きして入力データが記録されるように、制御部によって記録部の入力データの記録が制御される。このため、１のファイルを選択した上で、記録ボタンの長押しするだけで上書きがなされるため、記録されているデータに新たなデータを記録させるための操作性を向上させることが可能になる。また、記録ボタンが長押しされなければ、上書きがなされないため、ユーザが誤操作で記録ボタンを押下してしまった場合でも、記録データが消去されない。
【００１１】
（３）本発明は、上記光ディスク装置において、前記制御部は、前記再生部の再生ポーズを指示する操作を前記選択操作として前記操作部で受け付けた場合に、前記記録ボタンが長押しされると、ファイルにおける前記再生ポーズされている位置から上書きさせるように入力データの記録を制御する、
ことを特徴とする。この構成によれば、再生ポーズがなされた状態で記録ボタンが長押しされると、ファイルの再生ポーズされた位置から入力データが上書きされる。これによって、ファイルにおける上書きを開始する位置を詳細に指定することが操作性よくできる。かつ、長押しされないと上書きがなされないため、ユーザの誤操作によって記録データが消去されることを効果的に防止することが可能である。
【００１２】
（４）本発明は、上記光ディスク装置において、表示部に接続され、前記光ディスクに記録されているファイル内容を表示するためのファイル内容表示画面の画像信号を前記表示部に出力する出力部を更に備え、前記制御部は、該ファイル内容表示画面で表示された記録データ内容のうち１を選択する操作を前記選択操作として前記操作部で受け付けた場合に、前記記録ボタンが長押しされると、前記選択されたファイルの先頭位置から上書きさせるように入力データの記録を制御する。
【００１３】
上記構成によれば、ファイル内容表示画面を見ながら選択されたファイルの先頭位置から上書きが行われるように、入力データの記録が制御される。この様に、ユーザがファイル内容を選択することでこのファイルへの上書きが行われるため、誤操作によってユーザが消去を希望しないファイルが消去されることが効果的に防止される。
【発明の効果】
【００１４】
本発明によれば、１のファイルを選択した上で、記録ボタンの長押しするだけで上書きがなされるため、記録されているデータ上に新たなデータを記録させるための操作性を向上させることができる。
【００１５】
また、記録ボタンが長押しされなければ、上書きがなされないため、ユーザが誤操作で記録ボタンを押下してしまった場合でも、記録データが消去されない。これによって、誤操作による記録データの消去を効果的に防止することができる。
【発明を実施するための最良の形態】
【００１６】
以下、この発明の実施形態である光ディスク装置について説明する。
【００１７】
まず、本実施形態の特徴である受信した映像・音声データを光ディスクへ録画（記録）する方法について説明する。図１は、受信した映像・音声データを光ディスクへ録画（記録）する方法を説明するための図である。光ディスク１０には、タイトル１のファイルＤ１とタイトル２のファイルＤ２が既に録画されている。光ディスク１０の記録データは、通常は番組毎に異なったファイルで管理されているが、ユーザの編集によって複数番組が１のファイルで管理される場合もある。
【００１８】
本光ディスク装置１は、既にデータが録画されている光ディスク１０に新たに受信したデータを録画する場合に、複数の録画方法で新たなデータを録画することができる。
【００１９】
まず、操作部９のＲＥＣキー９１ａやリモコン装置９３のＲＥＣキー９３１ａ（本願発明の記録ボタンに対応、図３を用いて後述）が短押しされた場合に、通常録画方法で新たに受信したデータの録画が行われる。通常録画方法では、既に録画されている最後のファイルの末尾（ファイルＤ２の末尾：矢印ａで示す位置）から新たに受信したデータが録画される。
【００２０】
また、既に録画されているファイルの再生途中で再生ポーズの操作（本願発明の選択操作に対応）がなされた場合であって、かつリジュームがオンの状態でＲＥＣキー９１ａやＲＥＣキー９３１ａの長押しがなされた場合に、途中上書録画方法で新たに受信したデータの録画が行われる。具体的には、再生ポーズがなされているファイルの再生ポーズ位置（矢印ｂで示す位置）から新たに受信したデータの上書きが行われる。これによって、上書きを開始する位置を詳細に指定することが操作性よくできる。かつ、長押しされないと上書きがなされないため、ユーザの誤操作によってファイルが消去されることを効果的に防止することが可能である。
【００２１】
また、先頭上書録画方法で新たなデータの録画を行うこともできる。この録画方法は、光ディスクデータに記録されている複数乃至は単数のファイルのうち１のファイルを指定する操作（本願発明の選択操作に対応）がなされた場合であって、ＲＥＣキー９１ａやＲＥＣキー９３１ａの長押しがなされた場合に実行される。
【００２２】
上記１のデータの指定は、例えば、次のような操作を受け付けた場合になされる。光ディスク装置１が図２で示すようなメニュー画像Ｇ（本願発明のファイル内容表示画面）の画像信号をディスプレイ１１（図３を用いて後述）に出力すると、ディスプレイ１１にメニュー画像Ｇが表示される。このメニュー画像Ｇには、記録されている各ファイル内容を示すタイトル１〜４と、「全てのコンテンツ」が表示されている。なお、このタイトル１〜４は、対応するファイルが記録されている順番で表示される。このタイトル１〜４のうち１のタイトルを選択する操作がなされることで、該タイトルのファイルが指定される。本図ではタイトル３のファイルが指定されている。なお、「全てのコンテンツ」が指定されると、全てのファイルが指定されることになる。
【００２３】
先頭上書録画方法では、指定（選択）されているファイルの先頭位置（矢印ｃで示す位置）から新たに受信したデータの上書きが行われる。このように、先頭上書録画方法では、ユーザがタイトル（ファイル内容）を選択することでこの記録データへの上書きが行われるため、誤操作によってユーザが消去を希望しないファイルが消去されることが効果的に防止される。
【００２４】
図３は、この発明の実施形態である光ディスク装置１の構成を示すブロック図である。この実施形態の光ディスク装置１は、装置本体各部の動作を制御する制御部２と、選択されているチャンネルで放送されているテレビ放送信号をシーケンシャルに受信する受信部３（本願発明の入力部に対応）と、受信部３で受信されたテレビ放送信号を処理する受信信号処理部４と、装置本体にセットされているＤＶＤ等の光ディスク１０に対して、録画する番組のデータの記録や、録画されている番組のデータの読み取りを行う記録／読取部５（本願発明の記録部に対応）と、記録／読取部５が光ディスク１０から読み取った番組のデータを処理するデータ処理部６（本願発明の再生部に対応）と、複数の映像を合成した合成映像を生成する合成映像生成部７と、映像信号や音声信号を出力する出力部８と、装置本体に対する入力操作を受け付ける操作部９と、を備えている。この実施形態の光ディスク装置１は、受信部３で受信しているチャンネルで放送されている番組を光ディスク１０に録画することができる。また、光ディスク１０に録画されている番組を再生することもできる。
【００２５】
受信部３には、テレビ放送信号を受信するアンテナ（不図示）が接続されている。受信部３は、アンテナで受信されているテレビ放送信号から、選択されているチャンネルのテレビ放送信号を抽出し、出力する。この受信部３は、ディジタルテレビ放送信号を受信するチューナである。受信信号処理部４は、受信部３で受信された選択されているチャンネルのディジタル放送信号を処理し、このチャンネルで放送されている番組の映像データ、音声データ等を得る。受信信号処理部４において得られる映像データや、音声データは、ＭＰＥＧ等でエンコードされたデータである。
【００２６】
記録／読取部５は、光ディスク１０に対してレーザ光を照射する公知のピックアップヘッド（不図示）を有している。記録／読取部５は、記録するデータに応じてパルス変調したレーザ光を光ディスク１０に照射することで、この光ディスク１０にデータを記録する。この光ディスク１０へのデータの記録は番組毎にファイル単位でなされ、各ファイルにはタイトルを示すタイトルデータが含められる。また、記録／読取部５は、光ディスク１０に照射したレーザ光の反射光を検出することで、この光ディスク１０に記録されているデータを読み取る。光ディスク１０に記録されている映像データや、音声データもＭＰＥＧ等でエンコードされたデータである。データ処理部６は、受信信号処理部４で処理された映像データや、音声データのデコードや、記録／読取部５が光ディスク１０から読み取った映像データや、音声データのデコードを行う。合成映像生成部７は、ＯＳＤ画像を記憶するＯＳＤ画像メモリ７ａを有している。このＯＳＤ画像メモリ７ａには、ＯＳＤ画像として、設定メニュー画像の映像や、ユーザに対するメッセージの映像等が記憶されている。合成映像生成部７は、受信部３で受信されているチャンネルで放送されている番組の映像、光ディスク１０に録画されている番組の映像、およびＯＳＤ画像メモリ７ａに記憶しているＯＳＤ画像、の少なくとも２つ以上の映像を合成した合成映像を生成し、出力する。また、合成映像生成部７は、受信部３で受信されているチャンネルで放送されている番組の映像、または光ディスク１０に録画されている番組の映像を、他の映像と合成することなく出力する場合もある。合成映像生成部７は、制御部２から合成映像を生成することが指示されたときに合成映像を生成し、合成映像を生成することが指示されていないときに合成映像を生成しない。出力部８には、映像を表示するディスプレイ１１や、音声を出力するスピーカ１２が接続される。出力部８は、合成映像部７で生成された合成映像、受信部３で受信されているチャンネルで放送されている番組の映像、または光ディスク１０に録画されている番組の映像にかかる映像信号を出力する。この映像信号はディスプレイ１１に入力され、このディスプレイ１１において映像が表示される。また、出力部８は、受信部３で受信されているチャンネルで放送されている番組の音声、または光ディスク１０に録画されている番組の音声にかかる音声信号を出力する。この音声信号はスピーカ１２に入力され、このスピーカ１２において音声が出力される。操作部９には、ユーザが入力操作を行うときに操作する複数の操作キー９１や、リモコン装置９３から送信されてきた装置本体に対する制御コードを受信するリモコン受信部９２を有している。リモコン装置９３は、周知のように、ユーザが入力操作を行うときに操作する複数の操作キー９３１を有し、操作された操作キー９３１に応じた制御信号を赤外線や電波で送出する構成である。
【００２７】
操作キー９１には、ＲＥＣキー９１ａ、再生開始キー９１ｂ、再生停止キー９１ｃ、再生ポーズキー９１ｄ、決定キー９１ｅ、「上」キー９１ｆ及び「下」キー９１ｇ等がある。また、操作キー９３１には、ＲＥＣキー９３１ａ、再生開始キー９３１ｂ、再生停止キー９３１ｃ、再生ポーズキー９３１ｄ、決定キー９３１ｅ、「上」キー９３１ｆ及び「下」キー９３１ｇ等がある。
【００２８】
ＲＥＣキー９１ａ、９３１ａは、ユーザからの録画の指示を受け付けるためのキーである。上述したように長押しされたか、短押しされたかで通常録画方法、途中上書録画方法及び先頭上書録画方法のうちいずれの録画方法で光ディスク１０に録画されるかが決定される。
【００２９】
また、再生開始キー９１ｂ、９３１ｂは、ユーザからの光ディスク１０の記録データの再生指示を受け付けるためのキーである。再生停止キー９１ｃ、９３１ｃは、記録データの再生停止の指示をユーザから受け付けるためのキーである。再生ポーズキー９１ｄ、９３１ｄは、光ディスク１０の記録データの再生ポーズの指示をユーザから受け付けるためのキーである。
【００３０】
「上」キー９１ｆ、９３１ｆ及び「下」キー９１ｇ、９３１ｇは、上記メニュー画像Ｇにおいて、１のタイトルを選択するためのキーである。
【００３１】
また、決定キー９１ｅ、９３１ｅは、再生ポーズキー９１ｄ、９３１ｄが押下された後に、リジュームオンにするかどうかを確認するためのＯＳＤが表示されるが、このリジュームオンの選択を受け付けるためのキーである。
【００３２】
なお、本願発明では、「操作部９が操作を受け付ける」とは、操作キー９１が押下されることだけでなく、操作キー９３１が押下されることも含む。また、「操作部の録画ボタン」には、ＲＥＣキー９１ａだけでなく、ＲＥＣキー９３１ａも含まれる。
【００３３】
次に、この発明の実施形態である光ディスク装置１の動作について説明する。この実施形態の光ディスク装置１は、上述したように、受信部３で受信しているチャンネルで放送されている番組を光ディスク１０に録画することができる。
【００３４】
光ディスク装置１は、ＲＥＣキー９１ａ乃至はＲＥＣキー９３１ａが押下されると、受信部３で受信しているチャンネルのテレビ放送信号を受信信号処理部４で処理する。受信信号処理部４は、受信部３が受信しているチャンネルで放送されている番組の映像データ、音声データ等を得る。記録／読取部５が、受信信号処理部４で得た映像データ、および音声データに基づくプログラムストリームを生成し、このプログラムストリームに基づく録画データ（録画対象データ）を装置本体にセットされている光ディスク１０に記録する。
【００３５】
ここで、光ディスク１０への録画対象データの記録は、上述した、通常録画方法、途中上書録画方法及び先頭上書録画方法の中からいずれか１で行われるように制御部２によって制御される。この制御部２による録画の制御についての処理（録画制御処理）は、図５を用いて後述する。
【００３６】
この実施形態の光ディスク装置１は、上述した処理を実行することにより、受信部３で受信しているチャンネルで放送されている番組を光ディスク１０に録画する。
【００３７】
また、この実施形態の光ディスク装置１は、本体にセットされている光ディスク１０に録画（記録）されている番組の再生が行える。光ディスク１０に録画されている番組を再生する処理についても公知であるので、ここでは簡単に説明しておく。光ディスク装置１は、再生開始キー９１ｂ乃至は再生開始キー９３１ｂが押下されると、記録／読取部５において、光ディスク１０に記録されている番組の録画データを読み取る。記録／読取部５が光ディスク１０から読み取った録画データは、データ処理部６において映像データと音声データとに分離されるとともに、分離された映像データおよび音声データのデコードされる。デコードされた映像データは、合成映像生成部７を介して出力部８に入力される。このとき、合成映像生成部７は、制御部２からの指示にしたがって、光ディスク１０に録画されている番組の映像と、他の映像と、を合成した合成映像を生成し、出力する場合もある。また、データ処理部６で、デコードされた音声データは出力部８に入力される。出力部８は、入力された映像データに基づく映像信号を接続されているディスプレイ１１に入力し、入力された音声データに基づく音声信号を接続されているスピーカ１２に入力する。これにより、光ディスク１０に録画されている番組の映像がディスプレイ１１において表示されるとともに、この番組の音声がスピーカ１２から出力される。
【００３８】
この実施形態の光ディスク装置１は、上述した処理を実行することにより、光ディスク１０に録画されている番組を再生する。
【００３９】
光ディスク装置１は、再生停止キー９１ｃ乃至は再生停止キー９３１ｃが押下されると、上述した録画（記録）されている番組の再生ための処理を中止する。また、光ディスク装置１は、再生ポーズキー９１ｄ乃至は再生ポーズキー９３１ｄが押下されると、上述した録画（記録）されている番組（ファイル）の再生ための処理を一時停止する。この後、光ディスク装置は、リジュームオンにするかどうかを確認するためのＯＳＤを表示する。ここで、決定キー９１ｅ乃至は決定キー９３１ｅの操作を受け付けることによって、光ディスク装置１は、リジュームオン又はオフの選択を受け付け、受け付けた操作に従ってリジュームオン・オフを設定する。
【００４０】
また、この実施形態の光ディスク装置１は、受信部３で受信しているチャンネルで放送されている番組を光ディスク１０に録画しているかどうかにかかわらず、この番組の映像信号、および音声信号を出力部８から出力することができる。すなわち、光ディスク装置１を、ディジタルテレビ放送のチューナとして使用することもできる。この場合には、光ディスク装置１は、受信部３で受信しているチャンネルのテレビ放送信号を受信信号処理部４で処理する。受信信号処理部４は、上述したように、受信部３で受信しているチャンネルで放送されている番組の映像データ、音声データ等を得る。この番組を光ディスク１０に録画する場合には、上述した、記録／読取部５が、受信信号処理部４で得た映像データ、および音声データに基づくプログラムストリームを生成し、このプログラムストリームに基づく録画データ（録画対象データ）を装置本体にセットされている光ディスク１０に記録する。
【００４１】
一方、受信信号処理部４は、映像データ、および音声データをデータ処理部６に入力する。データ処理部６は、受信信号処理部４から入力された映像データおよび音声データのデコードを行う。デコードされた映像データは、合成映像生成部７を介して出力部８に入力される。このとき、合成映像生成部７は、制御部２からの指示にしたがって、受信部３で受信している番組の映像と、他の映像と、を合成した合成映像を生成し、出力する場合もある。
【００４２】
また、データ処理部６で、デコードされた音声データは出力部８に入力される。出力部８は、入力された映像データに基づく映像信号を接続されているディスプレイ１１に入力し、入力された音声データに基づく音声信号を接続されているスピーカ１２に入力する。これにより、受信部３で受信しているチャンネルで放送されている番組の映像がディスプレイ１１において表示されるとともに、この番組の音声がスピーカ１２から出力される。
【００４３】
次に、この発明の実施形態である光ディスク装置１の特徴的な動作であるメニュー画像Ｇの表示処理を説明する。制御部２は、再生開始キー９１ｂ、９３１ｂ乃至は再生停止キー９１ｃ、９３１ｃが押下されたかどうかを、ＹＥＳと判断するまで繰り返し判断する（Ｓ１）。ステップＳ１でＹＥＳと判断された場合には、制御部２は、光ディスク１０に記憶されている各ファイルに含まれるタイトルデータを記録／読取部５を介して取得する（Ｓ２）。
【００４４】
制御部２は、メモリ２ａに記録されているメニュー画像Ｇの画像データを読み出して、取得した各タイトルデータの各タイトルを示すメニュー画像Ｇを生成する（Ｓ３）。制御部２は、取得したメニュー画像Ｇを出力部８に入力する（Ｓ４）。メニュー画像Ｇの初期画像では、再生開始キー９１ｂ、９３１ｂの押下によって表示される場合には、最初に記録されているファイルのタイトル（図２ではタイトル１）が色変えされて表示される。また、再生停止キー９１ｃ、９３１ｃの押下によって表示される場合には、再生停止時に再生されていたファイルのタイトルが色変えされて表示される。この色変えされているタイトルの記録データが選択状態のデータである。
【００４５】
制御部２は、「上」キー９１ｆ、９３１ｆ乃至は「下」キー９１ｇ、９３１ｇが押下されたかどうかを判断する（Ｓ５）。「上」キー９１ｆ、９３１ｆ乃至は「下」キー９１ｇ、９３１ｇが押下されたと判断した場合には（Ｓ５でＹＥＳ）、制御部２はメニュー画像Ｇで色変えするタイトルを変更する（Ｓ６）。具体的には、色変えされているタイトルは、「上」キー９１ｆ、９３１ｆが押下されると上に（タイトル２、タイトル１に）シフトされ、「下」キー９１ｇ、９３１ｇが押下されると下に（タイトル４に）シフトされる。
【００４６】
この後、後述のステップＳ７が実行される。
【００４７】
「上」キー９１ｆ、９３１ｆ乃至は「下」キー９１ｇ、９３１ｇが押下されていないと判断した場合には（Ｓ５でＮＯ）、制御部２は、ＲＥＣキー９１ａ、９３１ａ、再生開始キー９１ｂ、９３１ｂ及び再生停止キー９１ｃ、９３１ｃのうち何れか１が押下されたかどうかを判断する（Ｓ７）。再生開始キー９１ｂ、９３１ｂ及び再生停止キー９１ｃ、９３１ｃのうち何れか１が押下されていないと判断した場合には（Ｓ７でＮＯ）、繰り返しステップＳ５を実行し、押下されたと判断した場合には（Ｓ７でＹＥＳ）、メニュー画像Ｇの出力を終了して（Ｓ８）、本処理を終了する。
【００４８】
本実施形態では、ステップＳ７でＲＥＣキー９１ａ、９３１ａが押下されたと判断された場合には、メニュー画像Ｇで示される各タイトルのうち、ＲＥＣキー９１ａ、９３１ａが押下されたときに色変えされているタイトルのファイルが指定されることになる。
【００４９】
ここで、上述したように、メニュー画像Ｇの初期画像では、再生開始キー９１ｂ、９３１ｂの押下によって表示される場合には、最初に記録されているファイルのタイトルが色変えされて表示される。このため、「上」キー９１ｆ、９３１ｆ乃至は「下」キー９１ｇ、９３１ｇが押下されずにＲＥＣキー９１ａ、９３１ａが押下された場合には、最初に記録されているファイルが指定される。
【００５０】
また、上述したように、再生停止キー９１ｃ、９３１ｃの押下によって表示される場合には、再生停止時に再生されていたファイルのタイトルが色変えされて表示される。このため、「上」キー９１ｆ、９３１ｆ乃至は「下」キー９１ｇ、９３１ｇが押下されずにＲＥＣキー９１ａ、９３１ａが押下された場合には、再生停止時に再生されていたファイルが指定される。
【００５１】
また、ステップＳ７で再生開始キー９１ｂ、９３１ｂが押下されたと判断された場合には、この押下時に選択状態であったファイル（色変えされているタイトルのファイル）が再生される。なお、「全てのコンテンツ」が色変えされている場合には、最初のファイルから順に全てのファイルが再生される。
【００５２】
ステップＳ７で再生停止キー９１ｃ、９３１ｃが押下されたと判断された場合には、光ディスク装置１は再生開始キー９１ｂ、９３１ｂが押下されるまで再生停止状態になる。
【００５３】
次に、制御部２の実行する録画制御処理を説明する。図５は、録画制御処理を示すフローチャートである。まず、本処理は、ＲＥＣキー９１ａ、９３１ａの押下による操作信号が操作部９から入力されたときに実行される。
【００５４】
まず、制御部２はＲＥＣキー９１ａ、９３１ａが長押し（特定時間以上押下されたか）で押下されたかを判断する（Ｓ１１）。ＲＥＣキー９１ａ、９３１ａが長押しされていない（短押しされた）と判断した場合には（Ｓ１１でＮＯ）、制御部２は上記通常録画方法で録画が行われるように記録／読取部５による光ディスクへの録画対象データの記録を制御する（Ｓ1２）。制御部２はこの後本処理を終了させる。
【００５５】
一方、ＲＥＣキーが長押しされたと判断した場合には（Ｓ１１でＹＥＳ）、制御部２はメニュー画像Ｇが表示されているかを判断する（Ｓ１３）。メニュー画像Ｇが表示されていると判断する場合には（Ｓ１３でＹＥＳ）、制御部２は上記先頭上書録画方法で録画が行われるように記録／読取部５による光ディスクへの録画対象データの記録を制御する（Ｓ１４）。これによって、記録／読取部５は、指定されているファイルの先頭位置から録画対象データの上書きをする。ここで、指定されているファイルとは、上述したようにＲＥＣキー９１ａ、９３１ａが押下されたときに、メニュー画像Ｇで色変えされているタイトルのファイルである。この後、制御部２は本処理を終了させる。
【００５６】
メニュー画像Ｇが表示されていると判断する場合には（Ｓ１３でＮＯ）、制御部２は再生ポーズで、かつリジュームオン状態であるかを判断する（Ｓ１５）。再生ポーズで、かつリジュームオン状態である場合には（Ｓ１５でＹＥＳ）、制御部２は途中上書録画方法で録画が行われるように記録／読取部５による光ディスクへの録画対象データの記録を制御する（Ｓ１６）。これによって、記録／読取部５は、再生ポーズされているファイルの該再生ポーズ位置から録画対象データの上書きをする。この後、本処理は終了される。
【００５７】
再生ポーズではない、又は／及びリジュームオン状態でない場合には（Ｓ１５でＮＯ）、制御部２は本処理を終了させる。なお、この場合に、ステップＳ２を実行して通常録画方法で記録が行われるように記録／読取部５による光ディスクへの録画対象データの記録が制御されてもよい。また、この場合には、通常録画方法ではなく、最後に記憶されているファイルの先頭位置から書き込まれるように録画対象データの記録が制御されてもよい。
【００５８】
上記構成によれば、再生ポーズキー９１ｄ乃至は再生ポーズキー９３１ｄを押下したり、メニュー画像Ｇを見ながら「上」キー９１ｆ、９３１ｆ及び「下」キー９１ｇ、９３１ｇを押下してタイトルを指定する等の操作（選択操作）を行った上で、ＲＥＣキー９１ａ、９３１ａを押下する操作を行うだけで、選択操作で選択されたファイル上に録画対象データの上書きが行われる。これによって、光ディスク１０に記録されているファイル上に新たに受信したデータを記録させるための操作性を向上させることができる。
【００５９】
また、ＲＥＣキー９１ａ、９３１ａが長押しされなければ、上書きがなされないため、ユーザが誤操作でＲＥＣキー９１ａ、９３１ａを押下してしまった場合でも、記録されているファイルが消去されない。これによって、誤操作による記録ファイルの消去を効果的に防止することができる。
【００６０】
なお、本実施形態では、選択されたファイル（指定されたタイトルのファイルや再生一時停止されているファイル）の後に、別のファイルが記録されている場合がある。この場合に、選択されたファイルの記録時間よりも録画対象データの記録時間が長いと後続のファイル上にも録画対象データが記録される。
【００６１】
もっとも、変形例として、光ディスクの空き領域（例えば最後のファイルの末尾以降の領域）に記録時間が超えた部分の録画対象データを記録する構成としてもよい。また、このモードと、後続の記録データ上に録画対象データを記録するモードとの間で１のモードが選択的に適用される構成であってもよい。この場合には、例えばＯＳＤ等で２つのモードから１のモードを選択するための画像が表示されてもよい。このＯＳＤを見ながらユーザが１のモードの選択操作を行うことで、この操作に従ったモードが選択的に適用される。
【図面の簡単な説明】
【００６２】
【図１】本実施形態にかかる受信した映像・音声データを光ディスクへ録画（記録）する方法を説明するための図
【図２】メニュー画像Ｇを示す図
【図３】光ディスク装置の構成を示すブロック図
【図４】メニュー画像Ｇの表示処理を示すフローチャート
【図５】録画制御処理を示すフローチャート
【符号の説明】
【００６３】
１−光ディスク装置    ２−制御部    ３−受信部（本願発明の入力部）    ５−記録／読取部（記録部）    ６−データ処理部（本願発明の再生部）    ８−出力部    ９−操作部    １０−光ディスク    １１−ディスプレイ（本願発明の表示装置）    １１−表示装置    ９１ａ、９３１ａ−ＲＥＣキー    Ｇ−メニュー画像
【図１】
2007213669.tif 000003
【図２】
2007213669.tif 000004
【図３】
2007213669.tif 000005
【図４】
2007213669.tif 000006
【図５】
2007213669.tif 000007